(57)【要約】【課題】優れた装飾性を有する内装壁または外装壁を得る。【解決手段】反りまたは捩りを与えた発泡ポリスチレンチップの集合圧縮結合体からなる表面に不規則な形状の多数の凹部３と凹部残余の平坦模様面とを有する壁材本体の平坦模様面に着色塗装５を施す。【選択図】  図１
2006118248.tif 000002
【特許請求の範囲】
【請求項１】
表面に不規則な形状の多数の凹部と凹部残余の平坦模様面とを有する壁材本体の前記平坦模様面に着色塗装を施したことを特徴とする壁材。
【請求項２】
壁材本体の凹部の内面に、平坦模様面の着色塗装とは異なる色の着色塗装を施したことを特徴とする請求項１に記載の壁材。
【請求項３】
壁材本体は、反りまたは捩りを与えた発泡ポリスチレンチップの集合圧縮結合体であることを特徴とする請求項１または２に記載の壁材。
【請求項４】
表面に不規則な形状の多数の凹部と凹部残余の平坦模様面とを有する壁材本体を所要枚数並べて壁体を構成し、その壁体の表面全体にローラ塗装を施して各壁材本体の平坦模様面を着色塗装することを特徴とする壁施工方法。
【請求項５】
壁材本体を所要枚数並べて壁体を構成した後、その各壁材本体の少なくとも前記凹部の内面をスプレイ塗装により着色塗装し、その後に、前記壁体の表面全体にローラ塗装を施して前記各壁材本体の平坦模様面を前記凹部の塗装色とは異なる色に着色塗装することを特徴とする請求項４に記載の壁施工方法。
【請求項６】
壁材本体に、反りまたは捩りを与えた発泡ポリスチレンチップの集合圧縮結合体を用いることを特徴とする請求項４または５に記載の壁施工方法。
【発明の詳細な説明】
【技術分野】
【０００１】
この発明は、建屋の内壁や間仕切壁または外壁等に使用する壁材及び前記壁の施工方法に関する。
【背景技術】
【０００２】
従来、建屋の内壁や間仕切壁等の内装壁は、断熱材を詰め込んだ壁骨組みの壁構成面に化粧板を張るか、あるいは前記壁部に壁板を張り、その表面を塗装または壁紙等により化粧して構成されており、また外壁等の外装壁は、断熱材を詰め込んだ壁骨組みの壁構成面に化粧鉄板を張るか、あるいは前記壁部に外壁板を張り、その表面にモルタル塗装等を施して構成されている。
【発明の開示】
【発明が解決しようとする課題】
【０００３】
しかし、上記のようにして形成された内装壁または外装壁は、装飾性が乏しく、飽きがきやすい。
【０００４】
この発明は、優れた装飾性を有する内装用または外装用の壁材を提供するとともに、装飾性に優れた内装壁または外装壁を形成することができる壁施工方法を提供することを目的としたものである。
【課題を解決するための手段】
【０００５】
この発明の壁材は、表面に不規則な形状の多数の凹部と凹部残余の平坦模様面とを有する壁材本体の前記平坦模様面に着色塗装を施したことを特徴とする。
【０００６】
この壁材においては、前記壁材本体の凹部の内面に、前記平坦模様面の着色塗装とは異なる色の着色塗装を施すのが好ましい。
【０００７】
さらに、この壁材において、前記壁材本体は、反りまたは捩りを与えた発泡ポリスチレンチップの集合圧縮結合体が好ましい。
【０００８】
また、この発明の壁施工方法は、表面に不規則な形状の多数の凹部と凹部残余の平坦模様面とを有する壁材本体を所要枚数並べて壁体を構成し、その壁体の表面全体にローラ塗装を施して各壁材本体の平坦模様面を着色塗装することを特徴とする。
【０００９】
この壁施工方法においては、前記壁材本体を所要枚数並べて壁体を構成した後、その各壁材本体の少なくとも前記凹部の内面をスプレイ塗装により着色塗装し、その後に、前記壁体の表面全体にローラ塗装を施して前記各壁材本体の平坦模様面を前記凹部の塗装色とは異なる色に着色塗装するのが好ましい。
【００１０】
この壁施工方法においては、前記壁材本体に、反りまたは捩りを与えた発泡ポリスチレンチップの集合圧縮結合体を用いるのが好ましい。
【発明の効果】
【００１１】
この発明の壁材は、表面に不規則な形状の多数の凹部と凹部残余の平坦模様面とを有する板状の壁材本体の前記平坦模様面に着色塗装を施したものであるため、優れた装飾性を有している。
【００１２】
この壁材においては、前記壁材本体の凹部の内面に、前記平坦模様面の着色塗装とは異なる色の着色塗装を施すのが好ましく、このようにすることにより、さらに優れた装飾性を得ることができる。
【００１３】
さらに、この壁材において、前記壁材本体は、反りまたは捩りを与えた発泡ポリスチレンチップの集合圧縮結合体が好ましく、この発泡チップ集合圧縮結合体を壁材本体とすることにより、壁材に、気泡コンクリート板と同程度の強度と、断熱、防音、防湿、防カビ等の機能をもたせることができる。
【００１４】
また、この発明の壁施工方法は、表面に不規則な形状の多数の凹部と凹部残余の平坦模様面とを有する壁材本体を所要枚数並べて壁体を構成し、その壁体の表面全体にローラ塗装を施して各壁材本体の平坦模様面を着色塗装するものであるため、装飾性に優れた内装壁または外装壁を形成することができる。
【００１５】
この壁施工方法においては、前記壁材本体を所要枚数並べて壁体を構成した後、その各壁材本体の少なくとも前記凹部の内面をスプレイ塗装により着色塗装し、その後に、前記壁体の表面全体にローラ塗装を施して前記各壁材本体の平坦模様面を前記凹部の塗装色とは異なる色に着色塗装するのが好ましく、このようにすることにより、さらに装飾性に優れた内装壁または外装壁を形成することができる。
【００１６】
この壁施工方法においては、前記壁材本体に、反りまたは捩りを与えた発泡ポリスチレンチップの集合圧縮結合体を用いるのが好ましく、この発泡チップ集合圧縮結合体は、１つ１つの発泡チップ集合圧縮結合体毎にその表面の凹部の形状及び平坦模様面のパターンが異なるため、より装飾性に優れた内装壁または外装壁を形成することができる。
【００１７】
しかも、前記発泡チップ集合圧縮結合体は、気泡コンクリート板と同程度の強度をもち、また断熱性、防音性、防湿性、防カビ性等を有するため、高強度で、しかも断熱、防音、防湿、防カビ等の機能をもった内装壁または外装壁を形成することができる。
【００１８】
さらに、前記発泡チップ集合圧縮結合体は、それ同士を接着剤で強固に接着接合することができるため、前記発泡チップ集合圧縮結合体からなる壁材本体を所要枚数並べて配置し、隣り合う壁材本体の突合せ面同士を接着剤で接着接合する簡単な作業で前記壁体を構成することができる。
【発明を実施するための最良の形態】
【００１９】
図１及び図２はこの発明の壁材の第１の実施例を示しており、図１は壁材の平面図、図２は前記壁材の一部分の断面図である。
【００２０】
この壁材１は、表面に不規則な形状の多数の凹部３と凹部残余の平坦模様面４とを有する壁材本体２の前記平坦模様面４に着色塗装を施したものであり、図において６は前記平坦模様面４の着色塗装膜である。
【００２１】
前記壁材本体２は、反りまたは捩りを与えた発泡ポリスチレンチップの集合圧縮結合体からなっている。
【００２２】
すなわち、前記壁材本体２は、数ｍｍの厚さの発泡ポリスチレンチップに反りまたは捩りを与え、その発泡チップを多数集合して圧縮した状態で加熱により各発泡チップの接触面材同士を融着結合させた発泡チップ集合圧縮結合体を所定の壁材サイズに切断したものであり、その表面及び内部に、不規則な形状の多数の凹部３及び空洞３ａがランダムに分布している。
【００２３】
なお、前記発泡チップ集合圧縮結合体は、ナイフや加熱刃により簡単に切断できるものであり、どの部分で切断しても、その切断面に、前記空洞３ａを切断した不規則な形状の多数の凹部３がランダムに分布して存在する。
【００２４】
前記発泡チップ集合圧縮結合体は、気泡コンクリート板（ＡＬＣ板）と同程度の強度をもち、また断熱性、防音性、防湿性、防カビ性等を有しているとともに、発泡チップ集合圧縮結合体同士を接着剤で強固に接合できるという特長をもっている。
【００２５】
また、前記壁材本体２の平坦模様面４の着色塗装膜５は、壁材本体２の表面全体にローラ塗装を施して形成されたものであり、このローラ塗装により、前記発泡チップ集合圧縮結合体の表面の多数の凹部３の内面に塗料を付着させることなく平坦模様面４を塗装することができる。
【００２６】
なお、前記発泡チップ集合圧縮結合体の表面の多数の凹部３のなかには、平坦模様面４に対する深さが極く浅い凹部もあるが、この極く浅い凹部は平坦模様面４の一部であり、前記ローラ塗装により塗装される。
【００２７】
前記平坦模様面４を塗装する塗料は、壁材１の用途に応じて選択し、内装用壁材の場合は、防湿性や防カビ性等を有する着色塗料を用い、外装用壁材の場合は、防水性や防湿性を有する着色塗料または着色したセメントモルタルを用いる。
【００２８】
また、前記発泡チップ集合圧縮結合体の素材色は白色であるため、前記平坦模様面４の塗装色は、白色の凹部３との色バランスを考慮して選択する。
【００２９】
なお、前記平坦模様面４は、その全体を１色に塗装しても、あるいは、平坦模様面４を複数の領域に区分し、その各領域毎に異なる色に塗装してもよい。
【００３０】
この壁材１は、表面に不規則な形状の多数の凹部３と凹部残余の平坦模様面４とを有する板状の壁材本体の前記平坦模様面に着色塗装を施したものであるため、その表面の外観が図１のように斬新であり、したがって、優れた装飾性を有している。
【００３１】
しかも、この壁材１は、前記壁材本体２を、反りまたは捩りを与えた発泡ポリスチレンチップの集合圧縮結合体としたものであり、この発泡チップ集合圧縮結合体は上述したような特長をもっているため、壁材１に、気泡コンクリート板と同程度の強度と、断熱、防音、防湿、防カビ等の機能をもたせることができる。
【００３２】
そのため、建屋の壁骨組みの壁構成面に前記壁材１を所要枚数並べて配置することにより、前記壁骨組みに断熱、防音、防湿、防カビ材等を詰め込むことなく、断熱、防音、防湿、防カビ等の機能をもち、しかも装飾性に優れた内装壁または外装壁を構成することができるとともに、前記発泡チップ集合圧縮結合体は、それ同士を接着剤で強固に接合できるため、前記壁材１を所要枚数並べて配置し、隣り合う壁材１の突合せ面同士を接着剤で接着接合する簡単な作業で内装壁または外装壁を構成することができる。
【００３３】
なお、上記実施例の壁材１は、図１及び図２に示したように、壁材本体２の一方の板面の平坦模様面に着色塗装を施したものであるが、前記壁材本体２の両方の板面の平坦模様面にそれぞれ同色または異色の着色塗装を施してもよく、この両面塗装の壁材を用いることにより、建屋の間仕切壁を構成することができる。
【００３４】
また、壁材１は、内装または外装用の壁材に限らず、例えば屋内の天井材や、屋内天井を省略して屋根裏が室内から直接見えるようにした木造住宅等の屋根裏内装材としても使用することができる。
【００３５】
図３はこの発明の壁材の第２の実施例を示す壁材の一部分の断面図である。  
この実施例の壁材１は、上述した発泡チップ集合圧縮結合体からなる表面に不規則な形状の多数の凹部３と凹部残余の平坦模様面４とを有する壁材本体２の前記凹部３の内面に、前記平坦模様面４の着色塗装とは異なる色の着色塗装を施したものであり、図において、６は前記凹部３の内面の着色塗装膜、５は前記平坦模様面４の着色塗装膜である。
【００３６】
この壁材１は、まず壁材本体２の表面にスプレイ塗装を施してその表面の各凹部３の内面を任意の色に塗装し、その後に、前記壁材本体２の表面全体にローラ塗装を施して前記平坦模様面４を前記凹部３の塗装色とは異なる任意の色に塗装して製造される。
【００３７】
なお、凹部３の内面を塗装するためのスプレイ塗装は、壁材本体２の表面全体に塗料をスプレイする全面塗装でよく、このスプレイ塗装による前記平坦模様面４の着色塗装膜６は、次のローラ塗装により前記平坦模様面４に塗装された着色塗装膜５により覆い隠される。
【００３８】
この実施例の壁材１の場合、前記凹部３の内面の塗装色は、前記発泡チップ集合圧縮結合体の素材色と同じ白色または白系色でも他の色でもよく、例えば前記凹部３の内面を白色または白系色以外の色に塗装する場合は、前記平坦模様面４の塗装色を白色または白系色にしてもよい。
【００３９】
また、この実施例の壁材１においても、前記平坦模様面４は、その全体を１色に塗装しても、あるいは、平坦模様面４を複数の領域に区分し、その各領域毎に異なる色に塗装してもよい。
【００４０】
この実施例の壁材１は、前記壁材本体２の凹部３の内面に、平坦模様面４の着色塗装とは異なる色の着色塗装を施したものであるため、上述した第１の実施例の壁材１よりもさらに優れた装飾性を得ることができる。
【００４１】
次に、この発明の壁施工方法の実施例を説明する。図４及び図５はこの発明の壁施工方法の第１の実施例を示しており、図４は壁体構成状態の正面図、図５は前記壁体の一部分の断面図であり、図５（ａ）は表面塗装前の状態、図５（ｂ）はローラ塗装後の状態を示している。
【００４２】
この壁施工方法は、建屋の壁骨組みの壁構成面（図示せず）に、上述した発泡チップ集合圧縮結合体からなる表面に不規則な形状の多数の凹部３と凹部残余の平坦模様面４とを有する壁材本体２を所要枚数並べて配置して壁体１０を構成し、その壁体１０の表面全体にローラ塗装を施して各壁材本体２の平坦模様面４を着色塗装するものであり、図５（ｂ）において、６は前記各壁材本体２の平坦模様面４に塗装された着色塗装膜である。
【００４３】
なお、前記発泡チップ集合圧縮結合体からなる壁材本体２の表面の多数の凹部３のなかには、前記平坦模様面４に対する深さが極く浅い凹部もあるが、この極く浅い凹部は平坦模様面４の一部であり、前記ローラ塗装により塗装される。
【００４４】
この壁施工方法において、前記壁体１０の各壁材本体２の平坦模様面４を塗装する塗料は、施工壁に応じて選択し、内装壁の施工においては防湿性や防カビ性等を有する着色塗料を用い、外装壁の施工においては防水性や防湿性を有する着色塗料または着色したセメントモルタルを用いる。
【００４５】
また、前記発泡チップ集合圧縮結合体の素材色は白色であるため、前記壁体１０の各壁材本体２の平坦模様面４の塗装色は、白色の凹部３との色バランスを考慮して選択する。
【００４６】
なお、前記壁体１０の各壁材本体２の平坦模様面４は、全ての壁材本体２の平坦模様面４を１色に塗装しても、あるいは、前記壁体１０の表面を複数の領域に区分し、前記壁体１０の各壁材本体２の平坦模様面４を、前記領域毎に異なる色に塗装してもよい。
【００４７】
この壁施工方法は、表面に不規則な模様形状をなす多数の凹部３と凹部残余の平坦模様面４とを有する壁材本体２を所要枚数並べて壁体１０を構成し、その壁体１０の表面全体にローラ塗装を施して各壁材本体２の平坦模様面４を着色塗装するものであるため、装飾性に優れた内装壁または外装壁を形成することができる。
【００４８】
この実施例の壁施工方法では、前記壁材本体２に、反りまたは捩りを与えた発泡ポリスチレンチップの集合圧縮結合体を用いており、この発泡チップ集合圧縮結合体は、１つ１つの発泡チップ集合圧縮結合体毎にその表面の凹部３の形状及び平坦模様面４のパターンが異なる。
【００４９】
そのため、前記発泡チップ集合圧縮結合体からなる壁材本体２を所要枚数並べて構成された壁体１０の表面の凹凸模様は、同じパターンの繰返しが無い模様であり、また、隣り合う壁材本体２同士の突合せ線も目立たない。
【００５０】
しかも、前記発泡チップ集合圧縮結合体は、気泡コンクリート板と同程度の強度をもち、また断熱性、防音性、防湿性、防カビ性等を有するため、高強度で、しかも断熱、防音、防湿、防カビ等の機能をもった内装壁または外装壁を形成することができる。
【００５１】
さらに、前記発泡チップ集合圧縮結合体は、それ同士を接着剤で強固に接着接合することができるため、前記発泡チップ集合圧縮結合体からなる壁材本体２を所要枚数並べて配置し、隣り合う壁材本体の突合せ面同士を接着剤で接着接合する簡単な作業で前記壁体１０を構成することができる。
【００５２】
また、この壁施工方法により施工された内装壁または外装壁は、汚れたり、装飾に飽きがきたりしたときに、前記壁体１０の各壁材本体２の平坦模様面４をローラ塗装により好みの色に塗装し直すことにより、簡単に模様替えすることができる。
【００５３】
図６はこの発明の壁施工方法の第２の実施例を示す壁体の一部分の断面図であり、図６（ａ）は表面塗装前の状態、図６（ｂ）はスプレイ塗装後の状態、図６（ｃ）はローラ塗装後の状態を示している。
【００５４】
この実施例の壁施工方法は、建屋の壁骨組みの壁構成面（図示せず）に、上述した発泡チップ集合圧縮結合体からなる表面に不規則な形状の多数の凹部３と凹部残余の平坦模様面４とを有する壁材本体２を所要枚数並べて壁体１０を構成した後、その各壁材本体２の少なくとも前記凹部３の内面をスプレイ塗装により着色塗装し、その後に、前記壁体１０の表面全体にローラ塗装を施して前記各壁材本体２の平坦模様面４を前記凹部３の塗装色とは異なる色に着色塗装するものであり、図６（ｂ），（ｃ）において、６は前記各壁材本体２の凹部３の内面の着色塗装膜、５は前記各壁材本体２の平坦模様面４の着色塗装膜である。
【００５５】
なお、前記各壁材本体２の凹部３の内面を塗装するためのスプレイ塗装は、前記壁体１０の表面全体に塗料をスプレイする全面塗装でよく、このスプレイ塗装による各壁材本体２の平坦模様面４の着色塗装膜６は、次のローラ塗装により前記各壁材本体２の平坦模様面４に塗装された着色塗装膜５により覆い隠される。
【００５６】
この実施例の壁施工方法の場合、前記各壁材本体２の凹部３の内面の塗装色は、前記発泡チップ集合圧縮結合体の素材色と同じ白色または白系色でも他の色でもよく、例えば前記凹部３の内面を白色または白系色以外の色に塗装する場合は、前記各壁材本体２の平坦模様面４の塗装色を白色または白系色にしてもよい。
【００５７】
また、この実施例の壁施工方法においても、前記壁体１０の各壁材本体２の平坦模様面４は、全ての壁材本体２の平坦模様面４を１色に塗装しても、あるいは、前記壁体１０の表面を複数の領域に区分し、前記壁体１０の各壁材本体２の平坦模様面４を、前記領域毎に異なる色に塗装してもよい。
【００５８】
この実施例の壁施工方法は、表面に不規則な模様形状をなす多数の凹部３と凹部残余の平坦模様面４とを有する壁材本体２を所要枚数並べて壁体１０を構成した後、その各壁材本体２の少なくとも前記凹部３の内面をスプレイ塗装により着色塗装し、その後に、前記壁体１０の表面全体にローラ塗装を施して前記各壁材本体２の平坦模様面４を前記凹部３の塗装色とは異なる色に着色塗装するものであるため、上述した第１の壁施工方法よりもさらに装飾性に優れた内装壁または外装壁を形成することができる。
【００５９】
また、この実施例の壁施工方法により施工された内装壁または外装壁も、汚れたり、装飾に飽きがきたりしたときに、前記壁体１０の各壁材本体２の少なくとも凹部３の内面をスプレイ塗装により好みの色に塗装し直し、その後に、前記各壁材本体２の平坦模様面４をローラ塗装により前記凹部３の塗装色とは異なる好みの色に塗装し直すことにより、簡単に模様替えすることができる。
【００６０】
なお、上記第１及び第２の実施例の壁施工方法では、壁体１０の一方の壁面に着色塗装を施しているが、例えば建屋の間仕切壁を施工する場合は、壁材本体２を所要枚数並べて間仕切壁体を構成した後に、その両面に着色塗装を施せばよい。
【００６１】
また、この発明の壁施工方法は、内装壁または外装壁の施工に限らず、例えば屋内の天井施工や、屋内天井を省略して屋根裏が室内から直接見えるようにした木造住宅等の屋根裏内装施工にも利用することができる。
【図面の簡単な説明】
【００６２】
【図１】この発明の壁材の第１の実施例を示す壁材の平面図。
【図２】前記壁材の一部分の断面図。
【図３】この発明の壁材の第２の実施例を示す壁材の一部分の断面図。
【図４】この発明の壁施工方法の第１の実施例を示す壁体構成状態の正面図。
【図５】前記壁体の表面塗装前及びローラ塗装後における一部分の断面図。
【図６】この発明の壁施工方法の第２の実施例を示す壁体の表面塗装前、スプレイ塗装後及びローラ塗装後における一部分の断面図。
【符号の説明】
【００６３】
１…壁材、２…壁材本体、３…凹部、３ａ…空洞、４…平坦模様面、５…平坦模様面の着色塗装膜、６…凹部内面の着色塗装膜、１０…壁体。
【図１】
2006118248.tif 000003
【図２】
2006118248.tif 000004
【図３】
2006118248.tif 000005
【図４】
2006118248.tif 000006
【図５】
2006118248.tif 000007
【図６】
2006118248.tif 000008